(57)【要約】【課題】２枚の戸板を面一にして閉じることができる連動引戸を提供する【解決手段】主動戸板１４ａの下端面には、固定部４６と、主動戸板１４ａの動きに追従して回動する回動アーム４８と、回動アーム４８の端部から突設されたガイドピン５４とからなる下部ガイド部材３０が取り付けられており、従動戸板１４ｂの下端面には、ガイドピン５４を移動自在に受け入れ、端部にガイドピン５４が係止する係止部４４を有する下部ガイド溝２８が設けられている。また、主動ガイドレール１２ａは、基準面Ｋに対して平行な主動走行面Ｓ１において主動戸板１４ａを走行させる主動走行部２０ａと、基準面Ｋと主動走行面Ｓ１との間を行き来するように主動戸板１４ａを平行移動させる平行移動部２２とを有している。【選択図】図２
2007255009.tif 000002
【特許請求の範囲】
【請求項１】
天井面に取り付けられた主動ガイドレールおよび従動ガイドレールと、前記主動ガイドレールに沿って走行する主動戸板と、前記主動戸板の動きに追従して前記従動ガイドレールに沿って走行する従動戸板と、前記主動戸板と前記従動戸板とを連結する連結機構とを備える引戸であって、
前記主動戸板は、板状の主動戸板本体と、前記主動戸板本体の上端部に取り付けられ、前記主動ガイドレールに走行自在に吊下げられた吊下部材とを有し、前記従動戸板は、板状の従動戸板本体と、前記従動戸板本体の上端部に取り付けられ、前記従動ガイドレールに走行自在に吊下げられた吊下部材とを有し、
前記主動ガイドレールは、所定の基準面に対して平行な主動走行面において前記主動戸板を走行させる主動走行部を有し、前記従動ガイドレールは、前記基準面に対して平行な従動走行面において前記従動戸板を走行させる従動走行部を有し、さらに、前記主動ガイドレールおよび前記従動ガイドレールの少なくとも一方は、前記主動戸板および前記従動戸板の少なくとも一方を前記基準面へ向けて平行移動させる平行移動部を有し、
前記連結機構は、前記主動戸板本体または前記従動戸板本体の一方の下端部に固定された固定部と前記固定部に回動自在に取り付けられた回動アームと前記回動アームに設けられたガイドピンとを有する下部ガイド部材と、前記主動戸板本体または前記従動戸板本体の他方の下端部に設けられ、前記ガイドピンを走行自在に受け入れたガイド溝と、前記ガイド溝に設けられ、前記主動戸板の動きに追従して前記従動戸板が動くために前記ガイドピンが係止される係止部とを有し、前記主動戸板および前記従動戸板の少なくとも一方の平行移動に追従して前記回動アームが回動される引戸。
【請求項２】
前記係止部は、前記ガイドピンの押圧力により弾性変形するものであり、前記係止部が変形することで、前記ガイドピンと前記係止部との係止状態が解除されることを特徴とする請求項１に記載の引戸。
【請求項３】
前記床面には前記従動戸板をガイドする下部ガイドレールが取り付けられており、
前記従動戸板には、前記下部ガイドレールに摺動自在に組み合わされた下部支持部材が取り付けられていることを特徴とする請求項１または２に記載の引戸。
【発明の詳細な説明】
【技術分野】
【０００１】
本発明は、１の戸板を動かすと他の戸板が連なって動く連動引戸に関する。
【背景技術】
【０００２】
引戸を構成する１の戸板を動かすと、他の戸板が連なって動くといった機構を有する連動引戸は、広い開口部が得られるとともに、引戸を簡単に開け閉めでき、かつ、戸板をコンパクトに収納できる利点があることから、一般住宅などにおいて広く使用されている。例えば、特許文献１には、３枚の戸板で構成された連動引戸が開示されている。
【０００３】
特許文献１に係る引戸１は、図１４に示すように、天井面に取り付けられたレール（図示せず）と、レールの内部を走行するランナー２と、ランナー２によって吊り下げられた戸板ａ，ｂ，およびｃとで大略構成されている。そして、戸板ａ，ｂ，およびｃは、戸板本体３と、戸板ａ，ｂ，およびｃの一方側面の下端部に取り付けられたローラ部４を有する連結ガイド部材５と、戸板ａ，ｂ，およびｃの底面に設けられたローラ部４を移動自在に受け入れる案内溝６と、案内溝６の両端部に取り付けられたローラ部４と当接するストッパー７とで構成されている。そして、戸板ａの案内溝６ａに、戸板ｂに取り付けられた連結ガイド部材５ｂのローラ部４ｂを嵌め込み、戸板ｂの案内溝６ｂに、戸板ｃに取り付けられた連結ガイド部材５ｃのローラ部４ｃを嵌め込むようにして戸板ａ，ｂ，およびｃが配設されている。なお、建屋の床面には、ローラ部８を有する固定ガイド９が取り付けられており、戸板ｃの案内溝６ｃにローラ部８が嵌め込まれている。
【０００４】
これにより、引戸１を閉じた状態から、戸板ａをレールに沿って横に移動させると、戸板ａの案内溝６ａが戸板ｂのローラ部４ｂを収容しながら相対的に移動する。そして、ストッパー７ａがローラ部４ｂに当接する位置までくると、ストッパー７ａがローラ部４ｂを押圧し、戸板ｂもレールに沿って戸板ａとともに移動する。戸板ａを引き続き移動させることにより戸板ｃも同様に移動する。
【０００５】
ところで、引戸の種類には、上述した連動引戸の他に、閉じた状態で複数の戸板が面一になるように構成されたフラット引戸と呼ばれるものがある。フラット引戸は、閉じた状態で戸板が面一に揃うので意匠性に優れるとともに、閉じた状態で戸板どうしが重なり合う無駄な部分がないので、戸板本体の面積を小さくすることができるという利点を有する。
【０００６】
このように、連動引戸およびフラット引戸は、それぞれ異なった長所を備えている。しかし、これら両方の長所を兼ね備えた引戸は、従来、存在しなかった。
【特許文献１】特開２００２−２４２５３６号公報
【発明の開示】
【発明が解決しようとする課題】
【０００７】
本発明は、このような従来の問題点に鑑みて開発されたものである。それゆえに、本発明の主たる課題は、１の戸板を動かすと他の戸板が連なって動くとともに、閉じた状態で戸板が面一になるように構成された引戸を提供することにある。
【課題を解決するための手段】
【０００８】
請求項１に記載した発明は、「天井面Ａに取り付けられた主動ガイドレール１２ａおよび従動ガイドレール１２ｂと、主動ガイドレール１２ａに沿って走行する主動戸板１４ａと、主動戸板１４ａの動きに追従して従動ガイドレール１２ｂに沿って走行する従動戸板１４ｂと、主動戸板１４ａと従動戸板１４ｂとを連結する連結機構１５とを備える引戸１０であって、主動戸板１４ａは、板状の主動戸板本体２６ａと、主動戸板本体２６ａの上端部に取り付けられ、主動ガイドレール１２ａに走行自在に吊下げられた吊下部材２７とを有し、従動戸板１４ｂは、板状の従動戸板本体２６ｂと、従動戸板本体２６ｂの上端部に取り付けられ、従動ガイドレール１２ｂに走行自在に吊下げられた吊下部材２７とを有し、主動ガイドレール１２ａは、所定の基準面Ｋに対して平行な主動走行面Ｓ１において主動戸板１４ａを走行させる主動走行部２０ａを有し、従動ガイドレール１２ｂは、基準面Ｋに対して平行な従動走行面Ｓ２において従動戸板１４ｂを走行させる従動走行部２０ｂを有し、さらに、主動ガイドレール１２ａおよび従動ガイドレール１２ｂの少なくとも一方は、主動戸板１４ａおよび従動戸板１４ｂの少なくとも一方を基準面Ｋへ向けて平行移動させる平行移動部２２を有し、連結機構１５は、主動戸板本体２６ａまたは従動戸板本体２６ｂの一方の下端部に固定された固定部４６と固定部４６に回動自在に取り付けられた回動アーム４８と回動アーム４８に設けられたガイドピン５４とを有する下部ガイド部材３０と、主動戸板本体２６ａまたは従動戸板本体２６ｂの他方の下端部に設けられ、ガイドピン５４を走行自在に受け入れた下部ガイド溝２８と、下部ガイド溝２８に設けられ、主動戸板１４ａの動きに追従して従動戸板１４ｂが動くためにガイドピン５４が係止される係止部４４とを有し、主動戸板１４ａおよび従動戸板１４ｂの少なくとも一方の平行移動に追従して回動アーム４８が回動される引戸１０。」である。
【０００９】
本発明によれば、主動戸板１４ａを動かすと、一方の戸板本体２６ａに取り付けられた下部ガイド部材３０のガイドピン５４が、従動戸板本体２６ｂに設けられた下部ガイド溝２８を走行し、下部ガイド溝２８の端部に設けられた係止部４４に係止される。そして、従動戸板１４ｂが係止部４４および下部ガイド部材３０を介して主動戸板１４ａに追従して動く。また、回動アーム４８が主動戸板１４ａおよび従動戸板１４ｂの少なくとも一方の平行移動に追従して回動するので、主動戸板１４ａと従動戸板１４ｂとは、連結機構１５によって常に連結される。
【００１０】
請求項２に記載した発明は、請求項１に記載した引戸１０において「係止部４４は、ガイドピン５４の押圧力により弾性変形するものであり、係止部４４が変形することで、ガイドピン５４と係止部４４との係止状態が解除されること」を特徴とする。
【００１１】
本発明によれば、主動戸板１４ａの動きに追従して従動戸板１４ｂを移動させた後、ガイドピン５４と係止部４４との係止状態を解除すると、主動戸板１４ａが単独で移動する。
【００１２】
請求項３に記載された発明は、請求項１または２に記載した引戸１０において「床面Ｂには従動戸板１４ｂをガイドする下部ガイドレール１６が取り付けられており、従動戸板１４ｂには、下部ガイドレール１６に摺動自在に組み合わされた下部支持部材１７が取り付けられていること」を特徴とする。
【００１３】
本発明によれば、下部ガイドレール１６によって下部支持部材１７を介して従動戸板１４ｂの揺動が規制される。
【発明の効果】
【００１４】
本発明によれば、主動走行部を有する主動ガイドレールおよび従動走行部を有する従動ガイドレールの少なくとも一方が平行移動部を有しているので、引戸を閉じた状態で主動戸板と従動戸板とを面一に配置することができる。また、連結機構により主動戸板の動きが従動戸板に伝達されるので、従動戸板を主動戸板の動きに追従させることができる。さらに、主動戸板と従動戸板とが常に連結機構によって連結されるので、戸板が風などによって不所望に揺動し難い。また、下部ガイド部材が、主動戸板本体または従動戸板本体の一方の戸板本体に取り付けられているので、床面に障害物のないバリアフリーを実現することができる。
【００１５】
請求項２に係る発明によれば、主動戸板と従動戸板とを重ねた状態で移動させた後、主動戸板を単独で移動させることができるので、主動戸板と従動戸板とを移動させるときに、移動させる戸板全体の幅が長くなることを避けて、安定して戸板を動かすことができる。
【００１６】
請求項３に係る発明によれば、下部支持部材を備える従動戸板の揺動が規制されるので、連結機構で連結された主動戸板と従動戸板との揺動を全体として規制することができる。これにより、風などによる戸板の不所望な揺動がさらに少ない引戸を提供することができる。
【発明を実施するための最良の形態】
【００１７】
以下、本発明を図面に従って説明する。図１（ａ）は、本件発明に係る引戸１０を示す正面図であり、図２（ａ）は、本発明に係る引戸１０を示す側面図である。また、図１（ａ）および図２（ａ）の一部を拡大して、図１（ｂ）および図２（ｂ）に示している。この引戸１０は、図１（ａ）および２（ａ）に示すように、建屋の天井面Ａと床面Ｂとの間において、枠材Ｃ、壁Ｄ、および枠材Ｅによって構成された開口Ｆを開閉するものであり、天井面Ａに取り付けられた主動ガイドレール１２ａおよび従動ガイドレール１２ｂと、引戸１０の開口Ｆを開閉するために直接操作され、主動ガイドレール１２ａに沿って走行する主動戸板１４ａと、主動戸板１４ａの動きに追従し、従動ガイドレール１２ｂに沿って走行する従動戸板１４ｂと、主動戸板１４ａおよび従動戸板１４ｂを連結する連結機構１５と、床面Ｂに取り付けられ、従動戸板１４ｂをガイドする下部ガイドレール１６と、従動戸板１４ｂに取り付けられ、下部ガイドレール１６に対して摺動する下部支持部材１７とで構成されている。
【００１８】
主動ガイドレール１２ａは、略「コ」字状の断面を有する長尺部材であり、上枠１８を介して天井面Ａに取り付けられている。そして、主動ガイドレール１２ａは、図３に示すように、「コ」字状の断面の内側を、主動戸板１４ａに設けられた後述する吊車２７が走行できるように、「コ」字状の断面の開口部を下向きにして配置されている。また、本実施例では、図４に示すように、主動ガイドレール１２ａは、所定の基準面Ｋに対して平行な主動走行面Ｓ１において主動戸板１４ａを走行させる直線状の主動走行部２０ａと、基準面Ｋと主動走行面Ｓ１との間を行き来するように主動戸板１４ａを平行移動させる湾曲部である平行移動部２２とを有している。なお、平行移動部２２は、主動ガイドレール１２ａの主動走行部２０ａの略中央部および一方端部の２カ所に設けられている。
【００１９】
従動ガイドレール１２ｂは、略「コ」字状の断面を有する長尺部材であり、主動ガイドレール１２ａと同様に、上枠１８を介して天井面Ａに取り付けられている。そして、従動ガイドレール１２ｂは、図３に示すように、「コ」字状の断面の内側を、従動戸板１４ｂに設けられた後述する吊車２７が走行できるように、「コ」字状の断面の開口部を下向きにして配置されている。また、本実施例では、図４に示すように、従動ガイドレール１２ｂは、所定の基準面Ｋに対して平行な従動走行面Ｓ２において従動戸板１４ｂを走行させる直線状の従動走行部２０ｂを有している。
【００２０】
なお、主動ガイドレール１２ａおよび従動ガイドレール１２ｂの側面には、主動ガイドレール１２ａおよび従動ガイドレール１２ｂを目隠しするための化粧幕板２４が取り付けられている（図２（ａ）参照）。
【００２１】
主動戸板１４ａは、板状の主動戸板本体２６ａと、主動戸板本体２６ａの上端部に取り付けられた「吊下部材」としての吊車２７とを有している。また、従動戸板１４ｂも、板状の従動戸板本体２６ｂと、従動戸板本体２６ｂの上端部に取り付けられた「吊下部材」としての吊車２７とを有している。
【００２２】
吊車２７は、主動ガイドレール１２ａから主動戸板１４ａを鉛直下方向に吊り下げるための部材であり、図３に示すように、主動ガイドレール１２ａの内側を走行する車輪３６を２つ備えている。そして、吊車２７は、主動戸板１４ａの上端面から軸３８を介して、主動戸板１４ａおよび従動戸板１４ｂに対して回動可能に取り付けられている。なお、本実施例では、２つの吊車２７が主動戸板本体２６ａの上端面の両端部に取り付けられている。また、主動戸板本体２６ａに取り付けられたのとは別の吊車２７が、従動戸板本体２６ｂの上端面の両端部に取り付けられている。
【００２３】
連結機構１５は、従動戸板１４ｂの下端面に設けられた下部ガイド溝２８と、主動戸板１４ａの下端面に取り付けられた下部ガイド部材３０とで構成されており、下部ガイド溝２８と下部ガイド部材３０とが係合することによって、主動戸板１４ａと従動戸板１４ｂとが連結されている。
【００２４】
下部ガイド溝２８は、従動戸板１４ｂの下端面に設けられた凹溝４０に、略「コ」字状のレール材４２を嵌め込んで形成されている（図２（ｂ）参照）。そして、下部ガイド溝２８の両端には、後述するガイドピン５４が係止される係止部４４が形成されている（図１（ｂ）参照）。なお、従動戸板１４ｂの下端面に設けた凹溝４０をそのまま下部ガイド溝２８として用いてもよい。
【００２５】
下部ガイド部材３０は、図５に示すように、固定部４６と、回動アーム４８と、板バネ５０と、回動アーム軸５２と、ガイドピン５４と、ストッパー５５とで構成されている。そして、下部ガイド部材３０は、ガイドピン５４を鉛直上向きにして主動戸板１４ａの下端面に取り付けられている。なお、図５の（ａ）は、主動戸板１４ａが主動ガイドレール１２ａの主動走行面Ｓ１に位置しているときの下部ガイド部材３０の状態を示し、（ｂ）は、主動戸板１４ａが主動ガイドレール１２ａの基準面Ｋに位置しているときの下部ガイド部材３０の状態を示し、（ｃ）は、（ａ）に示す状態における側面図である。
【００２６】
固定部４６は、主動戸板１４ａの下端面に固定された板材である。そして、固定部４６には、主動戸板１４ａに固定するためのネジ５６を挿通するための取付孔５８が２カ所設けられているとともに、後述する鋼球６２が嵌り込む穴６０が２カ所設けられている。
【００２７】
回動アーム４８は、両端部が円弧状に加工された板材である。そして、回動アーム４８の一端部には回動アーム軸５２を挿通するための回動アーム軸挿通孔（図示せず）が設けられているとともに、回動アーム４８の他端部にはガイドピン取付孔（図示せず）が設けられており、このガイドピン取付孔にガイドピン５４が取り付けられている。また、回動アーム４８の回動アーム軸挿通孔とガイドピン取付孔との間には、回動アーム４８が不所望に回動するのを防止するための鋼球６２を嵌め込むために鋼球取付孔６４が設けられている。
【００２８】
板バネ５０は、一端部に回動アーム軸５２を挿通するための回動アーム軸挿通孔（図示せず）が設けられた弾性板材であり、回動アーム４８に重ねた状態で、回動アーム軸５２によって回動アーム４８とともに回動自在に取り付けられている。
【００２９】
回動アーム軸５２は、回動アーム４８および板バネ５０を固定部４６に対して回動可能に取り付ける部材であり、回動アーム４８の回動アーム軸挿通孔と板バネ５０の回動アーム軸挿通孔と座金６６とに挿通されている。
【００３０】
ガイドピン５４は、下部ガイド溝２８に移動自在に受け入れられる部材であり、回動アーム４８の他端部に取り付けられている。そして、ガイドピン５４は、ガイドローラ軸６８と、ガイドローラ７０とで構成されている。
【００３１】
ガイドローラ軸６８は、ガイドローラ７０を回動アーム４８に対して回転自在に取り付けるため、回動アーム４８のガイドピン取付孔にネジ７１により取り付けられた丸棒材である。
【００３２】
ガイドローラ７０は、回動アーム４８に対して回転自在に取り付けられた円柱状の部材であり、下部ガイド溝２８に収容される。
【００３３】
ストッパー５５は、固定部４６から突設された２つの矩形部材であり、それぞれ回動アーム４８に当接する程度の高さを有する。これにより、回動アーム４８は、２つのストッパー５５の間でのみ回動できるようになっている。つまり、図５（ａ）に示すように、主動戸板１４ａが主動走行面Ｓ１に位置し、回動アーム４８が主動戸板１４ａの幅方向に対して直交する向きにあるときを回動の「始点位置」とすると、この始点位置は、回動アーム４８がストッパー５５ａに当接することで位置決めされている。そして、始点位置から回動アーム４８が９０°回動するまでに、回動の「終点位置」（図５（ｂ）に示す固定部４６に対する回動アーム４８の位置）がストッパー５５ｂによって決められている。これにより、始点位置から回動アーム４８が９０°回動した位置に終点位置を設ける場合に比べて、回動アーム４８が始点位置から９０°を越えて不所望に回動するおそれがない。
【００３４】
以上のように構成されていることにより、下部ガイド部材３０は、図５（ａ）に示すように主動戸板１４ａが主動走行面Ｓ１にあるとき、つまり「走行位置」と、図５（ｂ）に示すように主動戸板１４ａが基準面Ｋにあるとき、つまり「閉位置」との間を行き来するときに、主動戸板１４ａの動きに追従して回動アーム４８が回動することにより、ガイドピン５４が常に下部ガイド溝２８に収容された状態を維持する。
【００３５】
下部ガイドレール１６は、図２（ｂ）に示すように、床面Ｂに取り付けられたアングル材であり、従動戸板１４ｂの走行距離と同じ長さを有する。
【００３６】
下部支持部材１７は、下部ガイドレール１６と協働して従動戸板１４ｂが吊車２７を支点として揺動するのを規制する部材であり、図６および７に示すように、ガイド本体７２と、ガイド取付板７４と、押さえプレート７６と、位置調整ネジ７８と、押さえプレート取付ネジ８２とで構成されている。
【００３７】
ガイド本体７２は、下部ガイドレール１６が嵌め込まれる溝８４を有する部材である。そして、ガイド本体７２の上面の両端部には、押さえプレート取付ネジ８２が取り付けられるプレート取付ネジ用ネジ穴８６が設けられているとともに、ガイド本体７２の上面の中央部には、位置調整ネジ７８の先端部を収容する位置調整ネジ用凹部８８が設けられている。そして、下部ガイドレール１６の一端部が、溝８４に嵌め込まれることにより、ガイド本体７２が下部ガイドレール１６に摺動自在に組み合わされて、従動戸板１４ｂが下部ガイドレール１６にガイドされる。なお、ガイド本体７２はポリプロピレンなどの合成樹脂で形成されているので、下部ガイドレール１６が摺動する際に軋み音が出にくいとともに、交換が困難な下部ガイドレール１６よりも、容易に交換できるガイド本体７２が先に摩耗するのでメンテナンスが容易である。
【００３８】
ガイド取付板７４は、板状部材をＬ字状に折り曲げて形成されたものであり、図中上下方向に延びる垂直面には、下部支持部材１７を従動戸板１４ｂに取り付けるための孔９０が３つ（内、２つは下部支持部材１７の取付角度調節ができるように長孔になっている。）設けられている。また、ガイド取付板７４の図中水平方向に延びる水平面には、位置調整ネジ７８を取り付けるための位置調整ネジ用ネジ孔９２が設けられている。
【００３９】
押さえプレート７６は、位置調整ネジ７８および押さえプレート取付ネジ８２を挿通するための孔９４ａおよび９４ｂが設けられた板材である。なお、位置調整ネジ７８を挿通する孔９４ａは、位置調整ネジ７８の頭部の径よりもやや狭い幅を有する長孔であり、位置調整ネジ７８が長孔の長手方向に移動できるようになっている。そして、位置調整ネジ７８を位置調整ネジ用ネジ孔９２にねじ込むことにより、位置調整ネジ７８の頭部が押さえプレート７６を押圧し、ガイド取付板７４がガイド本体７２に対して固定される。
【００４０】
本実施例に係る引戸１０の使用方法について、図８に基づいて説明する。図８は、本実施例に係る引戸１０を開けた状態から閉じた状態までの主動戸板１４ａおよび従動戸板１４ｂの動きを順に示すものである。（ａ）は、本実施例に係る引戸１０において主動戸板１４ａおよび従動戸板１４ｂを収納した状態を示しており、主動戸板１４ａおよび従動戸板１４ｂは、枠材Ｃと壁Ｄと枠材Ｅとで形成された隅部において互いに重なった状態で収納されている。なお、この状態において、主動戸板１４ａは主動走行面Ｓ１に位置している。そして、下部ガイド部材３０の回動アーム４８は始点位置にある。そして、（ａ）に示す状態から、主動戸板１４ａを図中左方向に動かすと、主動戸板１４ａは主動ガイドレール１２ａにガイドされ、主動走行面Ｓ１に沿って移動して（ｂ）に示す状態になる。このとき、ガイドピン５４は下部ガイド溝２８に受け入れられながら移動するので、主動戸板１４ａが移動しても従動戸板１４ｂは（ａ）に示す位置のままで動かない。なお、主動戸板１４ａが（ｂ）に示す位置まで移動すると、ガイドピン５４が下部ガイド溝２８の係止部４４に当接する。
【００４１】
（ｂ）に示す位置からさらに主動戸板１４ａを図中左方向に移動させると、ガイドピン５４が係止部４４と係合し、従動戸板１４ｂも主動戸板１４ａとともに図中左方向へ移動する。そして、従動戸板１４ｂの下部支持部材１７が枠材Ｅに当接する位置までくると、（ｃ）に示すように、従動戸板１４ｂはそれ以上左方向へ移動することが規制される。このとき、主動戸板１４ａは主動ガイドレール１２ａの主動走行部２０ａの端部に位置している。最後に、主動戸板１４ａを主動ガイドレール１２ａの平行移動部２２に沿って主動走行面Ｓ１から基準面Ｋに移動することにより、主動戸板１４ａと従動戸板１４ｂとが面一になり、（ｄ）に示すように、引戸１０が閉じられた状態となる。このとき、主動戸板１４ａの移動に合わせて回動アーム４８が回動するので、主動戸板１４ａと従動戸板１４ｂとが下部ガイド部材３０と下部ガイド溝２８とで連結された状態が維持される。
【００４２】
このように、本実施例に係る引戸１０によれば、主動戸板１４ａおよび従動戸板１４ｂを連動させることができるとともに、引戸１０を閉じた状態で主動戸板１４ａおよび従動戸板１４ｂを面一にすることができる。また、従動戸板１４ｂが下部支持部材１７を介して下部ガイドレール１６によりガイドされることにより、従動戸板１４ｂの下端部の動きが規制される。また、下部ガイド部材３０と下部ガイド溝２８とによって従動戸板１４ｂと主動戸板１４ａとが連結されているので、主動戸板１４ａの下端部の動きも規制される。このため、主動戸板１４ａおよび従動戸板１４ｂが風などによって煽られても吊車２７を支点として不所望に揺動することがない。さらに、下部ガイドレール１６の長さが従動戸板１４ｂの走行距離と同じなので、下部ガイドレール１６を図８に示すように壁Ｄに対して平行に配設することにより、開口Ｆの床面Ｂに障害物のないバリアフリーを実現することができる。
【００４３】
また、穴６０の位置を回動アーム４８の始点位置および終点位置における鋼球６２の位置に対応させることで、回動アーム４８が始点位置および終点位置に位置するとき、下部ガイド部材３０の鋼球６２が穴６０に嵌り込む。そして、板バネ５０がその弾性力により鋼球６２を穴６０の方向に付勢するので、板バネ５０による押圧力に抗して鋼球６２を穴６０から出すことのできる力が回動アーム４８に加えられるまで、回動アーム４８は始点位置および終点位置から不所望に回動せず、風などにより煽られた戸板１４が動くことがない。
【００４４】
次に、本実施例に係る引戸１０の下部ガイド溝２８に、係止部４４としてのガイドピンストッパー９６を取り付けた場合について説明する。ガイドピンストッパー９６とは、ガイドピン５４と係合する部材であり、下部ガイド溝２８に取り付けられている。そして、ガイドピンストッパー９６がガイドピン５４の押圧力により弾性変形されることで、ガイドピンストッパー９６とガイドピン５４との係止状態が解除される。本実施例では、ガイドピンストッパー９６として「ヨーデルストッパー」が用いられている。ヨーデルストッパーとは、図９に示すように、下部ガイド溝２８への取付ネジ（図示せず）を挿通するためのネジ孔１００が２カ所設けられた金属板の一部を緩やかな凸状に湾曲させた湾曲部９８を有する板バネ状の部材である。そして、湾曲部９８に押圧力が加えられると、湾曲部９８はくぼむように弾性変形する。
【００４５】
このようなガイドピンストッパー９６の湾曲部９８を下向きにして下部ガイド溝２８に取り付けると、主動戸板１４ａを移動する際、ガイドピン５４がガイドピンストッパー９６の湾曲部９８に当接してガイドピン５４の移動が規制される。そして、ガイドピン５４がガイドピンストッパー９６に対してさらに押圧力を付勢すると、湾曲部９８の変形の度合いが大きくなり、ガイドピン５４がガイドピンストッパー９６を越えることのできる程度の空間が生じるので、ガイドピン５４が湾曲部９８を越えて下部ガイド溝２８を移動することができる。
【００４６】
ここで、主動戸板１４ａおよび従動戸板１４ｂが収納された状態で、ガイドピン５４に当接する位置にガイドピンストッパー９６が取り付けられた引戸１０の動きを図１０に基づいて説明する。主動戸板１４ａおよび従動戸板１４ｂを収納した状態（ａ）から、主動戸板１４ａを図中の左方向に動かすと、主動戸板１４ａが主動ガイドレール１２ａにガイドされて図中左方向に移動するとともに、回動アーム４８を介してガイドピン５４がガイドピンストッパー９６の湾曲部９８を図中左方向に押圧する。これにより、従動戸板１４ｂは、主動戸板１４ａと連動して、下部支持部材１７が枠材Ｅに当接する位置（ｂ）まで移動する。この状態（ｂ）から、さらに主動戸板１４ａを図中左方向に移動する力を付勢すると、従動戸板１４ｂは動くことができないので、ガイドピン５４の押圧力が全てガイドピンストッパー９６の湾曲部９８の弾性変形に用いられる。ガイドピン５４からの押圧力によりガイドピンストッパー９６の変形が大きくなると、ガイドピン５４が通過できる程度の空間が下部ガイド溝２８に生じ、ガイドピン５４が湾曲部９８を越えて下部ガイド溝２８を走行するので、主動戸板１４ａは（ｃ）に示すように主動走行部２０ａの図中左端まで移動する。
【００４７】
このように、本発明に係る引戸１０にガイドピンストッパー９６を取り付けることにより、主動戸板１４ａと従動戸板１４ｂとを互いに重ねた状態で連動して移動することができる。つまり、主動戸板１４ａと従動戸板１４ｂとを連動して動かす際に、動かす戸板全体の幅を小さくすることができるので、がたつきが生じ難く、安定して主動戸板１４ａおよび従動戸板１４ｂを移動することができる。
【００４８】
なお、ガイドピンストッパー９６は、ガイドピン５４からの押圧力を受けて弾性変形する弾性体であれば、「ヨーデルストッパー」に限られず、他のものあってもよい。例えば、合成ゴム製の円筒状小片を下部ガイド溝２８に取り付けても、本実施例と同様の作用・効果を得ることができる。
【００４９】
また、本発明を３枚以上の戸板１４を有する引戸１０に適用することもできる。例えば、図１１は、本発明が適用された３枚の戸板１４ａ、１４ｂ、および１４ｃを有する引戸１０を示しており、主動戸板１４ａと従動戸板１４ｂとの間に、中間戸板本体２６ｃと、上端面に中間ガイドレール１２ｃに沿って走行する吊車２７と、下端面に下部ガイド部材３０ｃおよび下部ガイド溝２８ｃとを備える中間戸板ｃが設けられている。そして、主動戸板１４ａに取り付けられた下部ガイド部材３０ａのガイドピン５４ａが、中間戸板１４ｃに設けられた下部ガイド溝２８ｃに移動可能に収容されており、かつ、中間戸板１４ｃに取り付けられた下部ガイド部材３０ｃのガイドピン５４ｃが、従動戸板１４ｂに設けられた下部ガイド溝２８ｂに移動自在に受け入れられている（ａ）。そして、主動戸板１４ａを図中左方向に移動すると、中間および従動戸板１４ｂおよび１４ｃも連動して順に移動し（ｂ）〜（ｄ）、引戸１０を閉じた状態で全ての戸板１４ａないし１４ｃが面一になる（ｅ）。このように、引戸１０に設けられた戸板１４の枚数が増えても、中間戸板１４ｃの枚数を増やすことで本発明を適用することができる。
【００５０】
また、本実施例では下部ガイド部材３０が主動戸板１４ａに取り付けられているとともに、下部ガイド溝２８が従動戸板１４ｂに設けられている場合について説明してきたが、これとは逆に、下部ガイド部材３０を従動戸板１４ｂに取り付けるとともに、下部ガイド溝２８を主動戸板１４ａに設けてもよい。
【００５１】
また、本実施例では、吊下部材として２つの車輪３６を有する吊車２７を用いているが、吊車２７に限定されるものではなく、主動戸板本体２６ａおよび従動戸板本体２６ｂを吊り下げるとともに、主動ガイドレール１２ａおよび従動ガイドレール１２ｂに移動自在にガイドされるものであれば、これに代えて、例えば、図１２に示すように、１つの車輪３６で構成されるようにしてもよいし、吊車２７ではなく鈎状の部材などで戸板１４を吊り下げるようにしてもよい。そして、主動ガイドレール１２ａおよび従動ガイドレール１２ｂの形状も「コ」字状のものに限定されるものではなく、吊下部材と協働して主動戸板１４ａおよび従動戸板１４ｂをガイドするものであればよい。例えば、前述した１つの車輪３６で構成された吊車２７に対応する主動ガイドレール１２ａおよび従動ガイドレール１２ｂの形状としては、図１２に示すようなものが考えられる。
【００５２】
また、下部ガイド溝２８の形状も本実施例の形状に限られず、下部ガイド部材３０と協働して従動戸板１４ｂの揺動を防ぐことができるものであればよい。
【００５３】
また、それぞれの部材の材質についても、各部材に要求される強度を満足する限り、ステンレスやアルミニウムなどの金属、ＡＢＳ樹脂などの合成樹脂、およびＦＲＰなどを使用することができる。
【００５４】
さらに、本実施例では、回動アーム４８に嵌め込まれた鋼球６２が固定部４６に設けられた穴６０に嵌り込むとともに、鋼球６２が板バネ５０により穴６０の方向に付勢されることで、回動の始点位置および終点位置において回動アーム４８が不所望に回動することを防止しているが、例えば、ストッパー５５に磁石を取り付けるとともに、回動アーム４８を磁性体で形成することにより、磁力により回動アーム４８の不所望な回動を防止してもよい。また、図１２に示すように、ストッパー５５に凸部１０２を設けるとともに、回動アーム４８における凸部１０２に対応する位置に凹部１０４を設けてもよい。
【００５５】
また、本実施例では、従動戸板１４ｂは、直線状の従動走行部２０ｂのみを有する従動ガイドレール１２ｂに沿って走行するものであるが、従動走行部２０ｂと平行移動部２２とを有する従動ガイドレール１２ｂを用いて、主動戸板１４ａの代わりに従動戸板１４ｂが平行移動できるようにしてもよいし、主動戸板１４ａと従動戸板１４ｂとの両方が平行移動できるようにしてもよい。なお、従動戸板１４ｂが平行移動する場合、下部ガイドレール１６は、従動戸板１４ｂの動きに沿って従動戸板１４ｂをガイドできるように形成される必要がある。
【図面の簡単な説明】
【００５６】
【図１】本件発明にかかる引戸を示す正面図である。
【図２】本件発明にかかる引戸を示す右側面図である。
【図３】本件発明にかかる戸板の吊車と上部ガイドレールとの関係を示す斜視図である。
【図４】本件発明にかかる上部ガイドレール示す平面図である。
【図５】本件発明にかかる下部ガイド部材を示す図である。
【図６】下部支持部材を示す斜視図である。
【図７】下部支持部材を示す分解斜視図である。
【図８】本件発明にかかる引戸の使用状態を示す図である。
【図９】ガイドピンストッパーを示す斜視図である。
【図１０】ガイドピンストッパーを使用したときの引戸の使用状態を示す図である。
【図１１】本件発明にかかる３枚の戸板を有する引戸の使用状態を示す図である。
【図１２】本件発明にかかる吊車および上部ガイドレールの変形例を示す斜視図である。
【図１３】下部ガイド部材の変形例を示す図である。
【図１４】従来技術を示す図である。
【符号の説明】
【００５７】
１０…引戸
１２ａ…主動ガイドレール
１２ｂ…従動ガイドレール
１４ａ…主動戸板
１４ｂ…従動戸板
１５…連結機構
１６…下部ガイドレール
１７…下部支持部材
１８…上枠
２０ａ…主動走行部
２０ｂ…従動走行部
２２…平行移動部
２４…化粧幕板
２６ａ…主動戸板本体
２６ｂ…従動戸板本体
２７…吊車（吊下部材）
２８…下部ガイド溝
３０…下部ガイド部材
３６…車輪
３８…軸
４０…凹溝
４２…レール材
４４…係止部
４６…固定部
４８…回動アーム
５０…板バネ
５２…回動アーム軸
５４…ガイドピン
５５…ストッパー
５６…ネジ
５８…取付孔
６０…穴
６２…鋼球
６４…鋼球取付孔
６６…座金
６８…ガイドローラ軸
７０…ガイドローラ
７１…ネジ
７２…ガイド本体
７４…ガイド取付板
７６…押さえプレート
７８…位置調整ネジ
８２…押さえプレート取付ネジ
８４…溝
８６…プレート取付ネジ用ネジ穴
８８…位置調整ネジ用凹部
９０…孔
９２…位置調整ネジ用ネジ孔
９４…孔
９６…ガイドピンストッパー
９８…湾曲部
１００…ネジ孔
１０２…凸部
１０４…凹部
【図１】
2007255009.tif 000003
【図２】
2007255009.tif 000004
【図３】
2007255009.tif 000005
【図４】
2007255009.tif 000006
【図５】
2007255009.tif 000007
【図６】
2007255009.tif 000008
【図７】
2007255009.tif 000009
【図８】
2007255009.tif 000010
【図９】
2007255009.tif 000011
【図１０】
2007255009.tif 000012
【図１１】
2007255009.tif 000013
【図１２】
2007255009.tif 000014
【図１３】
2007255009.tif 000015
【図１４】
2007255009.tif 000016